(57)【特許請求の範囲】
【請求項１】
ペンシル型懐中電灯装着可能の犬の糞取器について、円筒の柄（１）にスライドできる鉤付リング（２）を通し、円筒の先端にロックナット付リング（３）を取付け、円筒の柄（１）の先端に屈折した二股の針金（４）に針金の先端をS字（６）にした構成になっており、円筒の柄（１）のスライドリングに鉤を設けることで、ビニール袋の大小にかかわらず、針金（４）の先端部S字（６）にビニール袋前部（９）の手提げ部分を引掛ける、次にスライドできる鉤付リング（２）にビニール袋後部（８）の手提げ部分を引掛け、この鉤付リング（２）を後方へ移動させることで、弛んでいるビニール袋（７）は針金の先端部S字間（６）に引掛けられたビニール袋前部（９）の手提げ部分を張ることができ、およびビニール袋（７）の開口部全体は広がり、開口部全体は、この鉤付リング（２）に引掛けたビニール袋後部（８）の手提げ部分は後方へ引っ張られ、ビニール袋（７）の開口部は逆三角形状に大きく広がることができ、ビニール袋（７）の開口部は後方へ引っ張ることで、針金の先端部S字（６）から外れないように張ることができることを特徴とする犬の糞取器。                  
【請求項２】
ペンシル型懐中電灯装着可能の犬の糞取器について、円筒の柄（１）にスライドできる鉤付リング（２）を通し、円筒の先端にロックナット付リング（３）を取付け、円筒の柄（１）の先端に屈折した二股の針金（４）に針金の先端をS字（６）にした構成になっており、円筒の柄（１）の先端にロックナット付リング（３）を設けたことで、ペンシル型懐中電灯（１１）を柄（１）の中へ簡単に装着できることを特徴とする、犬の糞取器。                      
【請求項３】
ペンシル型懐中電灯装着可能の犬の糞取器について、円筒の柄（１）にスライドできる鉤付リング（２）を通し、円筒の先端にロックナット付リング（３）を取付け、円筒の柄（１）の先端に屈折した二股の針金（４）に針金の先端をS字（６）にした構成になっており、円筒の柄（１）の先端を二股の針金（４）にして外側へ屈折させ広げることで、ビニール袋の大小にかかわらず、ビニール袋を取付け時、ビニール袋の手提げ部分の大小の穴の大きさに応じて、外側へ屈折している二股の針金（４）をさらに手で外側へ広げることにより、針金（４）の先端部S字（６）にビニール袋前部（９）の手提げ部分を引掛けたとき、針金（４）の先端部S字間は針金の張力で、ビニール袋前部（９）の手提げ部分を張ることができる、次に、スライドできる鉤付リング（２）にビニール袋後部（８）の手提げ部分を引掛け、この鉤付リング（２）を後方へ移動させることで、弛んでいるビニール袋（７）は、針金（４）の先端部S字間（６）に引掛けられたビニール袋前部（９）の手提げ部分をさらに張ることができ、およびビニール袋（７）の開口全体に広がる、開口部全体はこの鉤付リング（２）に引掛けたビニール袋後部（８）の手提げ部分が後方へ引っ張られ、ビニール袋（７）の開口部は逆三角形状にさらに大きく広がる、そして円筒の柄（１）の延長線より、柄（１）の先端部分の二股の針金（４）と、二股の針金（４）の左右２ヶ所（計４ヶ所）（５）を下側へ屈折（５）させることで、ペンシル型懐中電灯（１１）の照明が直接ビニール袋（７）に当たらずに前方へ照らすことができることを特徴とし、また、柄（１）の先端部の二股の針金（４）と二股の針金（４）の左右２ヶ所（計４ヶ所）（５）を下側へ屈折させた、その屈折部分（５）をさらに外側へ屈折させ広げることで、ビニール袋の大小にかかわらず、ビニール袋を取付け時、ビニール袋の手提げ部分の大小の穴の大きさに応じて、外側へ屈折している二股の針金（４）をさらに手で外側へ広げることにより、針金（４）の先端部S字（６）にビニール袋前部（９）の手提げ部分を引掛けたとき、針金（４）の先端部S字間は針金の張力で、ビニール袋前部（９）の手提げ部分を張ることができる、次に、スライドできる鉤付リング（２）にビニール袋後部（８）の手提げ部分を引掛け、この鉤付リング（２）を後方へ移動させることで、弛んでいるビニール袋（７）は、針金の先端部S字間（６）に引掛けられたビニール袋前部（９）の手提げ部分をさらに張ることができ、およびビニール袋（７）の開口部全体も広がる、開口部全体はこの鉤付リング（２）に引掛けたビニール袋後部（８）の手提げ部分は後方へ引っ張られ、ビニール袋（７）の開口部は逆三角形状にさらに大きくひろがり、針金（４）は針金の先端部S字（６）の内側に、針金（４）はあるため、針金（４）は平面および正面から見るとビニール袋（７）の下側に隠れてしまう、以上のように針金を（４）を屈折させたことで、ビニール袋の大小にかかわらず、ならびに手提げ袋の大小の穴に応じてビニール袋を簡単に装着ができ、ビニール袋の開口部が逆三角形状に大きく広がるため、犬の糞を受取るとき針金（４）に糞はつかないことを特徴とする犬の糞取器。                                                  
【請求項４】
ペンシル型懐中電灯装着可能の犬の糞取器について、円筒の柄（１）にスライドできる鉤付リング（２）を通し、円筒の柄（１）の先端にロックナット付リング（３）を取付け、円筒の柄（１）の先端に屈折した二股の針金（４）の先端をS字（６）にした構成になっており、針金（４）の先端部をS字（６）に曲げ、尚且つS字をハの字に外側へ広げることで、針金（４）の先端部S字（６）にビニール袋前部（９）の手提げ部分を引掛ける、次にスライドできる鉤付リング（２）にビニール袋後部（８）の手提げ部分を引掛け、この鉤付リング（２）を後方へ移動させることで、弛んでいるビニール袋（７）は、針金の先端部S 字間（６）に引掛けられたビニール袋前部（９）の手提げ部分を張ることができ、およびビニール袋（７）の開口部全体は広がる、開口部全体はこの鉤付リング（２）に引掛けたビニール袋後部（８）の手提げ部分は後方へ引っ張られ、ビニール袋（７）の開口部は逆三角形状にさらに大きく広がる、針金の先端部S字（６）をハの字に外側に広げることで、針金の先端S字が針金（４）よりも外側へ広がっているため、針金（４）は針金の先端部S字（６）に引掛けたビニール袋前部（９）の手提げ部分は、針金（４）は針金の先端部S字の内側にあるため、ビニール袋の開口部は逆三角形状に広がっており、針金（４）は平面および正面から見るとビニール袋（７）の下側に隠れてしまうため、犬の糞を受取るとき針金（４）に糞はつかないことを特徴とする犬の糞取器。
【発明の詳細な説明】
【技術分野】
【０００１】
本発明は、柄の先端の中にペンシル型懐中電灯が装着でき、スライドできる鉤付リングを設け、針金を二股にして屈折させて広げただけの構造なので、構造が簡単でビニール袋の大小にかかわらず、簡単にビニール袋が脱着でき、器具を汚すことも無く、容易に糞を受取りやすく回収できる、犬の糞取器。
【背景技術】
【０００２】
従来の技術として懐中電灯装着、または装着可能なものもある。この例として、特許文献１や、特許文献２、特許文献３に開示されているものがある。
【特許文献１】特開２００３−０７９２６４
【特許文献２】特開２００３−０５２２６５
【特許文献３】実用新案登録３０９８３０９
【０００３】
ビニール袋の大小にかかわらず取付けできるものもある。この例として、特許文献４や、特許文献５に開示されているものがある。
【特許文献４】特開２００３−０５２２６６
【特許文献５】特開２００２−３３０６５７
【０００４】
ビニール袋を引掛けて柄の部分でスライドできるものもある。この例として、特許文献６に開示されているものがある。
【特許文献６】特開２００３−０２３９０２
【発明の開示】
【発明が解決しようとする課題】
【０００５】
しかし、従来の犬の糞取器は、懐中電灯の装着が取って付けた方法だったり、日中犬を散歩させる人には不必要な構造であった。また、ビニール袋の取付け部分がリング状であったり、ビニール袋の手提げ部分を引掛けて、スライド出来る範囲が短いため、ビニール袋の大きさが限定されたり、取付けが意外と面倒であった。しかも市販の犬の糞取器も数が少なくまた構造が複雑で高価であったり、ランニングコストが高かった。本発明は、以上のような欠点をなくすためになされたものである。
【課題を解決するための手段】
【０００６】
この課題を解決するための請求項１の発明は、円筒の柄（１）にスライドできる鉤付リング（２）を設けたことを特徴とする犬の糞取器である。        
これは、円筒の柄（１）のスライドに鉤を設けることで、ビニール袋の大小にかかわらず、針金（４）の先端部S字（６）にビニール袋前部（９）の手提げ部分を引掛ける、このスライドできる鉤付リング（２）にビニール袋後部（８）の手提げ部分を引掛け、この鉤付リング（２）を後方へ移動させることで、ビニール袋前部（９）の手提げ部分の針金の先端部S字（６）から外れないように弛んでいるビニール袋を張ることができ、およびビニール袋（７）の開口部全体は広がると、同時にビニール袋後部（８）の手提げ部分は後方へ引張られ、ビニール袋（７）の開口部は逆三角形状に大きく広がる。 
【０００７】
この課題を解決するための請求項２の発明は、円筒の柄（１）の先端にロックナット付リング（３）を設けたことを特徴とする犬の糞取器である。            
これは、円筒の柄（１）の先端にロックナット付リング（３）を設けたことで、ロックナット（３）を緩めることでペンシル型懐中電灯（１１）を柄（１）の中へ簡単に装着できる。 
【０００８】
この課題を解決するための請求項３の発明は、円筒の柄（１）の先端部を二股の針金（４）にすることを特徴とする犬の糞取器である。                
これは、円筒の柄（１）の先端部を二股の針金（４）にして外側へ屈折させ広げることで、ビニール袋の大小にかかわらず、ビニール袋の手提げ部分の大小の穴の大きさに応じて、外側へ屈折している二股の針金（４）をさらに手で外側へ広げることができることと、同時に二股の針金（４）を外側へ広げることで針金（４）の先端部S字（６）にビニール袋前部（９）の手提げ部分を引掛けたとき、針金（４）の先端部S字間は針金の張力で、ビニール袋前部（９）の手提げ部分を張ることができ、針金の先端部S字（６）から外れないようにする。 
【０００９】
この課題を解決するための請求項３の発明は、円筒の柄（１）の延長線より柄（１）の先端部の二股の針金（４）と二股の針金（４）の左右２ヶ所（計４ヶ所）（５）を下側へ屈折させたことを特徴とする犬の糞取器である         
これは、円筒の柄（１）の延長線より柄（１）の先端部の二股の針金（４）と二股の針金（４）の左右２ヶ所（計４ヶ所）（５）を下側へ屈折させたことで、ペンシル型懐中電灯（１１）の照明が直接ビニール袋（７）に当たらずに前方を照らすことができる。                                                
【００１０】
この課題を解決するための請求項３の発明は、円筒の柄（１）の延長線より柄の先端部の二股の針金（４）と二股の針金（４）の左右２ヶ所（計４ヶ所）（５）を、下側へ屈折させた部分をさらに外側へ屈折させ広げたことを特徴とする犬の糞取器である。 
これは、円筒の柄（１）の延長線より柄の先端部の二股の針金（４）と二股の針金（４）の左右２ヶ所（計４ヶ所）（５）を、下側へ屈折させた部分をさらに外側へ屈折させ広げることで、ビニール袋の大小にかかわらずビニール袋の手提げ部分の大小の穴の大きさに応じて、外側へ屈折している二股の針金（４）をさらに手で外側へ広げることができると、同時に二股の針金（４）を手で外側へ広げることで針金（４）の先端部S字（６）にビニール袋前部（９）の手提げ部分を引掛けたとき、針金（４）の先端部S字間は針金の張力で、ビニール袋前部（９）の手提げ部分を張ることができ、針金の先端部S字（６）から外れないようにする。 
【００１１】
この課題を解決するための請求項４の発明は、円筒の柄（１）の先端の二股の針金（４）の先端部をS字（６）に曲げ、尚且つS字をハの字に針金（４）より外側へ広げたことを特徴とする犬の糞取器である。                        
これは、針金（４）の先端部をS字（６）に曲げ、尚且つS字をハの字に外側へ広げることで、針金（４）は先端部S字より内側になる、針金（４）の先端部S字（６）にビニール袋前部（９）の手提げ部分を引掛ける、次にスライドできる鉤付リング（２）にビニール袋後部（８）の手提げ部分を引掛け、この鉤付リング（２）を後方へ移動させることで、弛んでいるビニール袋（７）は、針金（４）の先端部S字間（６）に引掛けられたビニール袋前部（９）の手提げ部分を張ることができ、およびビニール袋（７）の開口部全体も広がる、開口部全体はこの鉤付リング（２）に引掛けたビニール袋後部（８）の手提げ部分は後方へ引張られ、ビニール袋（７）の開口部は逆三角形状にさらに大きく広がる、以上のことにより、針金（４）の先端部S字（６）をハの字に外側へ広げることで、針金（４）の先端部S字（６）は針金（４）よりも外側へ広がり、おのずと針金（４）は針金（４）の先端部S字（６）よりも内側にあるため、ビニール袋（７）の開口部は逆三角形状に広がっており、針金（４）は平面および正面から見るとビニール袋（７）の下側へ隠れてしまうため、犬の糞を受取るとき針金（４）に糞はつかないように防止できる。
【発明の効果】
【００１２】
構造が簡単なため故障もなく、ビニール袋の脱着は大小にかかわらず容易で、容易に糞を受取りやすく取扱いが簡単。ペンシル型懐中電灯を装着可能のため夜間犬の散歩で本人の歩行にも安全で事故防止にもなり、照明で犬のお尻も確認ができる。犬の糞の受取りは後部、側面からかがむこと無く容易にでき、一度の散歩で何回でも、複数匹でも使用でき、体に負担も少なく、草むらに落とした糞や軟便など、ビニールで糞をつかむ不快感も無く、手を汚すことも無い。放置、異臭、路面も汚れないため、路上の環境美化に役たつ。コンビニ、マーケットのビニール袋であれば大きさにこだわらず、使用できるため、資源の再利用ができ、ランニングコストもかからず、愛犬家に提供できる。
【発明を実施するための最良の形態】
【００１３】
図２の中で、ビニール袋後部（８）の手提げ部分を、引掛けて張るためのスライドできる鉤付リング（２）を柄（１）に通して設けたことを特徴とする、犬の糞取器の分解斜視図である。これはビニール袋前部（９）の手提げ部分を針金の先端部分Ｓ字（６）へ引掛けた時、手提げ部分が外れないように張るためと、ビニール袋の大小にかかわらず開口部を張ることを目的とする。
【００１４】
図２の中で、柄（１）の先端にロックナット付リング（３）を設けたことを特徴とする、犬の糞取器の分解斜視図である。これは、ロックナットを緩め柄の中へ、ペンシル型懐中電灯（１１）を装着し締めて夜間でも使用するためである。
【００１５】
図３は、柄（１）の先端に、二股の針金（４）を設けたことを特徴とする、犬の糞取器の側面図である。二股の針金（４）の延長の左右各二ヵ所（計４ヵ所）を屈折（５）させる。二股の針金にした訳は、ビニール袋前部（９）の手提げ部分の大きさに合わせて張るように針金（４）の幅を広げることができ、ビニール袋の大小にかかわらず簡単に装着するためと、屈折はペンシル型懐中電灯（１１）の照明が直接ビニール袋（７）へ当たることを防ぎ、体をいちいちかがむこともなく器具を差し出すだけで、容易に糞を受取るためである。
【００１６】
図４と図５は、針金の屈折部（５）から針金（４）を外側へと広げたことを特徴とする、犬の糞取器の平面図と正面図である。これは、針金（４）の屈折部（５）を、さらに外へ広げることにより、ビニール袋の大小にかかわらず開口部を張るために、ビニール袋後部（８）の手提げ部分をスライドできる鉤付リング（２）に引掛けて後方へ移動させると、ビニール袋（７）の開口部は張られ大きく外側へ広がり、容易に糞が受取れるためと、針金（４）はビニール袋（７）より内側へ絞られ入り込み、針金（４）に糞が付かないようにするためである。
【００１７】
図４と図５は、針金の先端部分（６）をＳ字に曲げ、尚且つハの字になるように外側へ開げたことを特徴とする、犬の糞取器の平面図と正面図である。これは、ビニール袋前部（９）の手提げ部分をＳ字に引掛けて、上記と同様にビニール袋の大小にかかわらず開口部を張るために、ビニール袋後部（８）の手提げ部分を、スライド出来る鉤付リング（２）に引掛けて後方へ移動した時、ビニール袋（７）の開口部は張られ、さらにより大きく外側へ広がるようにして、より容易に糞が受取れるようにするためと、より針金（４）に糞が付かないようにするために工夫をした。
【００１８】
図６、図７と図８は、ビニール袋（７）の取り付け状態の、側面図、平面図と正面図である。ビニール袋（７）の開口部内側のビニール袋後部（８）の手提げ部分に、二股の針金（４）の両方を通し、次にビニール袋前部（９）の手提げ部分を両方のＳ字（６）に引掛ける。そのあとでビニール袋後部（８）の手提げ部分を鉤付リング（２）に引掛け、スライド出来る鉤付リング（２）を後方へ移動させてビニール袋（７）の開口部を張り、鉤付リングの固定つまみ（１０）で固定する。本発明は以上の構成よりなっている。
【実施例１】
【００１９】
本発明を使用するときは、ビニール袋（７）の取り付け方は、はじめは、ビニール袋（７）の開口部内側のビニール袋後部（８）の手提げ部分に、二股の針金（４）の両方を通し、次にビニール袋前部（９）の手提げ部分を両方のＳ字（６）に引掛ける。そのあとでビニール袋後部（８）の手提げ部分を鉤付リング（２）に引掛け、スライド出来る鉤付リング（２）を後方へ移動させて、ビニール袋前部（９）の手提げ部分がＳ字（６）から外れないように張ると同時に、ビニール袋の大小にかかわらず開口部を張り鉤付リングの固定つまみ（１０）で固定する。ビニール袋（７）の開口部は張られ大きく外側へ広がり、犬が糞をする時、犬の後方、側面からでも糞取器を、差し出すだけで、針金の屈折（５）により体をかがめることもなく、針金（４）が汚れる心配もなく、容易に糞を受取ることができる。
【実施例２】
【００２０】
図９は、糞を回収したビニール袋（７）の持ち方で、ビニール袋（７）の中の糞を、フライパンの中の焼飯を裏返す要領で、すくい上げて載せ、開口部が封をした状態で歩行でき異臭を放つ事がない。二匹以上の犬の散歩でとっさに再度使用する時、すくい上げたビニール袋（７）の糞を元に戻せば、ビニール袋（７）の開口部が開き再度使用できる。
【実施例３】
【００２１】
図１０は、ビニール袋後部（８）の手提げ部分を、鉤付リング（２）から外せば、糞の重みで針金の先端のＳ字（６）部分まで下がり、開口部が封をした状態で歩行でき異臭を放つ事が無くそのまま歩行できる。
【実施例４】
【００２２】
図１１は、ビニール袋（７）の手提げ部分を持ち、糞取器本体を吊っても歩行できる。
【実施例５】
【００２３】
図１２  図１３は、ビニール袋後部（８）の手提げ部分を、鉤付リング（２）にそのまま掛けて歩行しても、ビニール袋（７）の開口部を前後、左右へ傾けても糞の重みで外へ落ちる事もなく、本体を傾けるだけで、安心して再度使用できる。
【実施例６】
【００２４】
図１４  図１５は、夜間歩行の時は、柄（１）の先端のロックナット（３）を緩め、柄（１）の中にペンライト（１１）を装着し締めれば、一体となりシンプルでじゃまにならず、歩行にも安全でライトを持つ事もなく、犬のリードと糞取器だけで済み、照明でお尻の位置も確認ができ、犬が糞をする時、犬の後方、側面からでも糞取器を差し出すだけで、針金の屈折（５）により体をかがむことなく針金（４）が汚れる心配や、外へ糞を外すこともなく容易に受取ることができる。
【図面の簡単な説明】
【００２５】
【図１】本発明の斜視図
【図２】本発明の分解斜視図
【図３】二股の針金の延長の屈折部と先端部分のＳ字部分の側面図
【図４】二股の針金の屈折部分と先端部分のＳ字を外側へ広げた状態の平面図
【図５】二股の針金の屈折部分と先端部分のＳ字を外側へ広げた常態の正面図
【図６】ビニール袋取付け状態―側面図（実施例１）
【図７】ビニール袋取付け状態―平面図（実施例１）
【図８】ビニール袋取付け状態―正面図（実施例１）
【図９】ビニール袋の取扱いで、糞をすくい上げて持ち歩き再度使用時に元に戻す状態の側面図（実施例２）
【図１０】ビニール袋の取扱いで、ビニール袋の手提げ部分を鉤付リングから外して歩行する状態の側面図（実施例３）
【図１１】ビニール袋の取扱いで、ビニール袋の手提げ部分を持ち糞取器本体を吊って歩行する状態の側面図（実施例４）
【図１２】ビニール袋の再使用時取扱いで、そのままの状態で歩行しても糞は外へ落ちないで再使用できる左右へ傾けた状態の正面図（実施例５）
【図１３】ビニール袋の再使用時取扱いで、そのままの状態で歩行しても糞は外へ落ちないで再使用できる前後へ振った状態の側面図（実施例５）
【図１４】本発明使用状態の側面図（実施例６）
【図１５】本発明使用状態の背面（実施例６）
【符号の説明】
【００２６】
１      柄
２      鉤付リング
３      ロックナット付リング
４      針金
５      屈折部
６      針金先端Ｓ字
７      ビニール袋
８      ビニール袋後部手提げ部分
９      ビニール袋前部手提げ部分
１０    固定つまみ
１１    ペンシル型懐中電灯
【図１】
0004750399.tif 000002
【図２】
0004750399.tif 000003
【図３】
0004750399.tif 000004
【図４】
0004750399.tif 000005
【図５】
0004750399.tif 000006
【図６】
0004750399.tif 000007
【図７】
0004750399.tif 000008
【図８】
0004750399.tif 000009
【図９】
0004750399.tif 000010
【図１０】
0004750399.tif 000011
【図１１】
0004750399.tif 000012
【図１２】
0004750399.tif 000013
【図１３】
0004750399.tif 000014
【図１４】
0004750399.tif 000015
【図１５】
0004750399.tif 000016